(57)【要約】【課題】食品用のラップフィルム１のロール２を収容し、このロール２から引き出したラップフィルム１を切断するための、三角状の凸歯を連ねた鋸歯状の金属製切断歯２８を備えたラップフィルム用包装容器において、ラップフィルム１が耐熱性の積層ラップフィルムであってもスムーズに切断できるラップフィルム用包装容器とする。【解決手段】金属製切断歯２８の歯先角度を３０°〜４０°とする。【選択図】図１
2014231358.tif 000002
【特許請求の範囲】
【請求項１】
食品用のラップフィルムのロールを収容し、このロールから引き出したラップフィルムを切断するための、三角状の凸歯を連ねた鋸歯状の金属製切断歯を備えたラップフィルム用包装容器において、
前記ラップフィルムが耐熱性の積層ラップフィルムであって、前記金属製切断歯の歯先角度が３０°〜４０°であることを特徴とするラップフィルム用包装容器。
【請求項２】
前記の歯先角度が３７°±１°であることを特徴とする請求項１に記載のラップフィルム用包装容器。
【請求項３】
前記凸歯の高さが０．７ｍｍ〜１．５ｍｍであることを特徴とする請求項１又は２に記載のラップフィルム用包装容器。
【請求項４】
前記積層ラップフィルムが、ポリエチレンとポリプロピレンの積層フィルムであることを特徴とする請求項１乃至３のいずれか一項に記載のラップフィルム用包装容器。
【発明の詳細な説明】
【技術分野】
【０００１】
本発明は、ラップフィルムのロールを収容し、このロールから引き出したラップフィルムを切断するための金属製切断歯を備えたラップフィルム用包装容器に関する。
【背景技術】
【０００２】
従来、金属製切断歯を備えたラップフィルム用包装容器としては、特許文献１に示されるように、三角状の凸歯を連ねた鋸歯状の金属製切断歯を備えたものが知られている。また、特許文献２に示されるように、鋸歯状の非金属製（バルカナイズドファイバ、樹脂含浸紙、樹脂製）切断歯を備えたものも知られている。
【０００３】
ところで、食品用のラップフィルムとしては、例えばポリエチレン、ポリ塩化ビニリデン、塩化ビニル等の単層ラップフィルムが一般的であるが、最近では耐熱性の積層ラップフィルムも用いられている。この耐熱性の積層フィルムとしては、例えばポリエチレンとポリプロピレンの積層フィルム、ポリエチレンとポリアミドの積層フィルム等がある。
【０００４】
一方、鋸歯状の金属製切断歯は、歯先角度を小さくすると、鋸歯状に打ち抜き加工する際の型離れが悪くなり、製造しにくくなる。また、古くから使用されている単層ラップフィルムについては、歯先角度を小さくしても切れ味に大きな変化がないことから、従来のラップフィルム用包装容器における金属製切断歯の歯先角度は、加工しやすい比較的大きな角度、具体的には４７°〜５５°が主流となっている。そして、最近使用されるようになってきた耐熱性の積層ラップフィルムの包装容器についても、古くから使用されている単層ラップフィルムについて使用してきたものと同様の金属製切断歯が使用されているのが現状である。
【先行技術文献】
【特許文献】
【０００５】
【特許文献１】実開昭５５−１７３４４５号公報
【特許文献２】特開２００８−２０１４７６号公報
【発明の概要】
【発明が解決しようとする課題】
【０００６】
しかしながら、従来のラップフィルム用包装容器における鋸歯状の金属製切断歯は、単層ラップフィルムの切断については大きな問題はないが、耐熱性の積層ラップフィルムについてはスムーズに切断しにくい問題がある。また、非金属製切断歯も同様に、耐熱性の積層ラップフィルムについてはスムーズに切断しにくい問題がある。
【０００７】
特許文献１は、金属製切断歯の中央部の歯先角度より両端部の歯先角度を小さくすることも開示している。特許文献１における両端部の歯先角度は３０°であるが、中央部の歯先角度は６０°と大きい。このため、仮に特許文献１に示される金属製切断歯を耐熱性の積層ラップフィルムの包装容器に使用したとしても、この中央部でスムーズな切断が阻害されることから、全体として良好な切れ味を得ることができない。
【０００８】
特許文献２は、ラップフィルムがポリ塩化ビニリデンである場合について、鋸刃状の非金属製切断歯の歯先角度を３０°〜９０°とすることも開示している（段落〔００３６〕参照）。しかし、非金属製切断歯の場合、歯先角度が小さくなると凸歯がへたりやすく、単層ラップフィルムでさえ良好な切れ味を維持しにくくなることから、スムーズに切りにくい耐熱性の積層ラップフィルムについて、歯先角度を小さくすることを着想させるものではない。ちなみに特許文献２が実施例で開示している歯先角度は、ラップフィルムがポリ塩化ビニリデンである場合で６０°である。
【０００９】
本発明は、上記従来の問題点に鑑みてなされたもので、耐熱性の積層ラップフィルムを収容するラップフィルム用包装容器について、収容した積層ラップフィルムをスムーズに切断できる鋸歯状の金属製切断歯を備えたラップフィルム用包装容器とすることを目的とする。
【課題を解決するための手段】
【００１０】
本発明は、上記目的のために、食品用のラップフィルムのロールを収容し、このロールから引き出したラップフィルムを切断するための、三角状の凸歯を連ねた鋸歯状の金属製切断歯を備えたラップフィルム用包装容器において、
前記ラップフィルムが耐熱性の積層ラップフィルムであって、前記金属製切断歯の歯先角度が３０°〜４０°であることを特徴とするラップフィルム用包装容器を提供するものである。
【００１１】
また、上記本発明は、前記歯先角度が３７°±１°であること、
前記凸歯の高さが０．７ｍｍ〜１．５ｍｍであること、
前記積層ラップフィルムが、ポリエチレンとポリプロピレンの積層フィルムであること
をその好ましい態様として含むものである。
【発明の効果】
【００１２】
鋸歯状の金属製切断歯の場合、歯先角度の大小は、単層ラップフィルムについては切れ味にさほど大きな影響を与えないが、耐熱性の積層ラップフィルムについては切れ味に大きな影響を与えることを本発明者が見出したことによってなされたものである。
【００１３】
すなわち、本発明においては、鋸刃状の金属製切断歯の歯先角度が３０°〜４０°と小さくなっていることにより、単層ラップフィルムに対する切れ味はさほど変わらないものの、耐熱性の積層ラップフィルムに対する切れ味は、歯先角度がこれより大きな従来の金属製切断歯より大きく向上する。よって、耐熱性の積層ラップフィルムを収容した場合、そのスムーズな切断を行うことができ、使い勝手を向上させることができる。
【図面の簡単な説明】
【００１４】
【図１】本発明に係るラップフィルム用包装容器一例を示す斜視図である。
【図２】鋸歯状の金属製切断歯の部分拡大図である。
【発明を実施するための形態】
【００１５】
以下、図面を用いて本発明の実施形態を説明する。なお、以下に参照する図面において、同じ符号は同様の構成要素を示す。
【００１６】
図１に示すように、本発明のラップフィルム用包装容器１０は、食品用のラップフィルム１のロール２を収容する箱体２０と、ロール２から引き出したラップフィルム１を切断するための金属製切断歯２８とを備えている。ラップフィルム１は、紙管３に巻き付けられてロール２を構成している。但し、紙管３のないロール２であってもよい。
【００１７】
本発明のラップフィルム用包装容器１０にロール２として収容する食品用のラップフィルム１は、耐熱性の積層ラップフィルムである。この耐熱性の積層ラップフィルムとしては、ポリエチレンとポリプロピレンの積層フィルム、ポリエチレンとポリアミドの積層フィルムを挙げることができる。本発明により良好な切断性が得やすい観点からは、ポリエチレンとポリプロピレンの積層フィルムが好ましい。これらの耐熱性の積層ラップフィルムは、例えばポリエチレン、ポリ塩化ビニリデン、塩化ビニル等の単層ラップフィルムの耐熱性が１４０℃程度までであるのに対し、１５０℃以上の耐熱性を有する。その半面、一般的な従来の金属製切断歯では切断しにくい。また、ポリメチルペンテン（ＴＰＸ）の単層ラップフィルムは、１５０℃以上の耐熱性を有する耐熱性ラップフィルムであるが、一般的な従来の金属製切断歯でも切断しやすい。これらのことから、耐熱性の積層ラップフィルムであることが、一般的な従来の金属製切断歯では切り難く、本発明で用いる金属製切断歯２８では滑らかに切断できる原因をつくっているものと考えられる。なお、本発明において、耐熱性の積層ラップフィルムとは、１４５℃以上の耐熱性を有する積層ラップフィルムをいう。
【００１８】
箱体２０は、横長の直方体で、ロール２を収納する本体２２と、本体２２上に開閉可能に被さる蓋体２６とを備えている。本体２２は、前面板２２ａ、側面板２２ｂ，２２ｃ、背面板２２ｄ及び底面板２２ｅを備えている。前面板２２ａ、側面板２２ｂ，２２ｃ及び背面板２２ｄは、底面板２２ｅの周囲から立ちあげられて本体２２の周壁を構成している。蓋体２６は、蓋体２６を閉じた時に本体２２の上部外面側に被さる前縁板２６ａと、本体２２の側面板２２ｂ，２２ｃの上部外面側に被さる側縁板２６ｂ，２６ｃと、本体２２の開口部上に被さる天面板２６ｄとを備えている。天面板２６ｄの後縁は本体２２の背面板２２ｄの上縁に連なっており、前縁板２６ａと側縁板２６ｂ，２６ｃは天面板２６ｄの前縁と側縁にそれぞれ連接されている。また、箱体２０は、ロール２から引き出したラップフィルム１を切断するための金属製切断歯２８を備えている。
【００１９】
金属製切断歯２８は、例えばスズメッキ鋼板、アルミニウム板等の金属板で構成されている。金属以外の材質では、後述する歯先角度とすることによる先端の鋭さや、凸歯３０の耐久性を維持しにくく、良好な切れ味を得ることができない。
【００２０】
金属製切断歯２８は、図２に示すように、三角形状の凸歯３０を連ねた鋸刃状をなしている。歯先角度αは、３０°〜４０°である。３０°未満では、鋸刃状に打ち抜き加工する際の型離れが悪くなり、金属製切断歯２８が製造しにくくなる。また、４０°を超えると、ロール２から引き出したラップフィルム１を切断する際に要する力が大きくなり、スムーズな切断がしにくくなる。金属製切断歯２８の製造容易性とラップフィルム１の易切断性の観点から、歯先角度αは３７°±１°であることが好ましい。また、各凸歯３０について歯先角度αは等しいことが好ましい。
【００２１】
歯先先端部は、鋭利に尖った形状ではなく、丸味を有するアール形状としていてもよい。歯先先端部をアール形状にすることで、鋸刃状に打ち抜き加工する際の型離れが良くなる。また、フィルム切断時に歯先先端部に力がかかるが、その際、歯刃先に係る力を分散させることができ、歯先先端部が曲がることを防ぐことができる。
【００２２】
凸歯３０の高さＨは、０．７ｍｍ〜１．５ｍｍであることが好ましい。高さＨが０．７ｍｍ未満になると、金属製切断歯２８の単位長さ方向当たりの凸歯３０の数が多くなり、切断時にラップフィルム１と接触する歯先が多くなって力が分散してしまい、小さな力でラップフィルム１を切断しにくくなる。高さＨが１．５ｍｍを超えると、各凸歯３０の歯先が曲がりやすくなったり、欠けてしまうおそれがあり、良好な切れ味を長期にわたって維持しにくくなる。
【００２３】
図１に示される金属製切断歯２８は、蓋体２６の前縁板２６ａに下向きに取り付けられているが、本体２２から引き出したラップフィルム１を切断できる位置であればいずれに配置してもよい。例えば、本体２２の前面板２２ａに上向きに取り付けたり、底面板２２ｅの前面板２２ａ側に取り付けたり、その他の位置に取り付けたりすることもできる。また、金属製切断歯２８を付設する方法としては、かしめ方式や接着剤による接着等を用いることができる。
【実施例】
【００２４】
実施例１、２
図１に示すようなラップフィルム用包装容器を作製し、ラップフィルムのカット性を評価した。金属製切断歯は、図１と同様に、ラップフィルム用包装容器の蓋体の前縁板の内側に、先端部分が僅かに突出した状態で付設した。
【００２５】
カット性は、フィルムの切断に必要な力（切断力：単位ニュートン）で評価した。切断力は、プッシュプルゲージを使用して測定した。
【００２６】
まず、ラップフィルムのロールを収納したラップフィルム用包装容器を測定器のカートンセット台に設置し、ラップフィルム用包装容器から引っ張り出したラップフィルムの先端部を、プッシュプルゲージが備えられた測定器の固定治具に固定した。次に、蓋体がラップフィルム用包装容器から離れないように固定しながら、ラップフィルムのロールの軸芯を中心にしてラップフィルム用包装容器全体を回転させた。これによってラップフィルムを金属製切断歯に押し付け、ラップフィルムが金属製切断歯によって切断されるのに必要な回転力をプッシュプルゲージにより測定した。これを、歯先角度を変えた金属製切断歯毎に５回繰り返し、平均値を求めた。測定結果を表１に示す。
【００２７】
なお、ラップフィルム及び金属製切断歯は以下のとおりである。
【００２８】
（１）ラップフィルム
実施例１、２：耐熱性の積層ラップフィルム［ポリエチレンとポリプロピレンの積層フィルム（幅＝３０ｃｍ、長さ＝１００ｍ）］
【００２９】
（２）金属製切断歯
実施例１：歯先角度α＝４０°、歯の高さＨ＝１．４４ｍｍ、材質＝スズメッキ鋼板
実施例２：歯先角度α＝３７°、歯の高さＨ＝１．００ｍｍ、材質＝スズメッキ鋼板
【００３０】
比較例１
歯先角度α＝４７°、歯の高さＨ＝１．４７ｍｍ、材質＝スズメッキ鋼板の金属製切断歯を用いた他は実施例１と同様にして同様の測定を行った。結果を表１に示す。
【００３１】
比較例２
歯先角度α＝４０°、歯の高さＨ＝１．４０ｍｍ、材質＝樹脂で構成した非金属製切断歯を使用した他は実施例１と同様にして同様の測定を行った。結果を表１に示す。
【００３２】
【表１】
2014231358.tif 000003
【００３３】
参考例１、２
ラップフィルムを以下の３種類とし、金属製切断歯を以下のとおりとし、測定回数をそれぞれ３回とした以外は実施例１と同様にして同様の測定を行った。結果を表２に示す。
【００３４】
（１）ラップフィルム
参考例１、２：単層ラップフィルム［ポリエチレン（幅＝３０ｃｍ、長さ＝２０ｍ）と、塩化ビニル（幅＝３０ｃｍ、長さ＝３５ｍ）と、ＴＰＸ（幅３０ｃｍ、長さ＝２０ｍ）の３種類］
【００３５】
（２）金属製切断歯
参考例１：歯先角度α＝３７°、歯の高さＨ＝１．００ｍｍ、材質＝スズメッキ鋼板
参考例２：歯先角度α＝５０°、歯の高さＨ＝１．０４ｍｍ、材質＝スズメッキ鋼板
【００３６】
【表２】
2014231358.tif 000004
【符号の説明】
【００３７】
１：ラップフィルム、２：ロール、３：紙管、１０：ラップフィルム用包装容器、２０：箱体、２２：本体、２２ａ：前面板、２２ｂ，２２ｃ：側面板、２２ｄ：背面板、２２ｅ：底面板、２６：蓋体、２６ａ：前縁板、２６ｂ，２６ｃ：側縁板、２６ｄ：天面板、２８：金属製切断歯、３０：凸歯
【図１】
2014231358.tif 000005
【図２】
2014231358.tif 000006